(57)【要約】【課題】  通風性と遮光性を併せ持つフラクタル的構造の日除けピースを複数連結してなるブロックからなる日除けであって、現場における作業を軽減すると共に、一つの日除けピースの破損や欠落による日除け全体の保形や物理的強度への影響を軽減できる日除けの提供。【解決手段】  日除けユニット１を縦、横、又は上下に複数連結してなる日除けであって、当該日除けユニットは、向きを一致させた複数の日除けピースを縦、横、又は上下に連結し、縦又は横に連結する日除けピースの前後又は左右の頂点を横枠又は縦枠で固定してなり、前記日除けピース２は、通風性と遮光性を併せ持つフラクタル的構造を有する日除け。【選択図】      図１
2014034857.tif 000002
【特許請求の範囲】
【請求項１】
向きを一致させた複数の日除けユニットを縦、横、又は上下に連結してなる日除けであって、
当該日除けユニットは、向きを一致させた複数の日除けピースを縦、横、又は上下に連結してなるブロックと、縦又は横に連結する日除けピースの前後又は左右の頂点を横枠又は縦枠で固定してなり、
前記日除けピースは、通風性と遮光性を併せ持つフラクタル的構造を有し、
各々の一辺を水平な稜線として共有する一対の三角形状板を一体化した屈曲四辺板、又は向きを一致させた複数の屈曲四辺板を頂点繋ぎで連結してなる自己相似状の集合物であり、
且つ前記稜線の中点から各三角形状板の固有頂点を結ぶ線の中点までを結ぶ軸線の傾斜角が前記稜線に対して一年のうちで最も暑い時期の南中高度に略等しくしてあることを特徴とする日除け。
【請求項２】
前記日除けユニットとして、
向きを一致させた複数の前記日除けピースを縦方向へ連結して縦チェーンを形成し、各日除けピースの前後又は左右の頂点を、縦枠に固定した第一ユニットを備えることを特徴とする前記請求項１に記載の日除け。
【請求項３】
向きを一致させた複数の前記日除けピースを横方向へ連結して横チェーンを形成し、各日除けピースの前後又は左右の頂点を、横枠に固定した第二ユニットを備えることを特徴とする前記請求項１又は請求項２のいずれかに記載の日除け。
【請求項４】
各日除けピースの前後頂点を、前後一対の横枠に固定し、当該一対の横枠の両端をそれぞれ補助縦枠で固定した第二ユニットを備えることを特徴とする前記請求項３に記載の日除け。
【請求項５】
下層ブロックの前後頂点と上層ブロックの左右頂点を連結してなり、
前記下層ブロック及び上層ブロックは、向きを一致させた複数の日除けピースを縦方向又は横方向へ連結して縦チェーン又は横チェーンを形成すると共に、複数の前記縦チェーン又は横チェーンをその向きを一致させて左右又は前後に複数連結してなり、
前記下層ブロックにおける縦チェーン又は横チェーンを構成する各日除けピースの前後又は左右の頂点を縦枠又は横枠に固定すると共に、前記上層ブロックにおける縦チェーン又は横チェーンを構成する各日除けピースの前後又は左右の頂点を縦枠又は横枠に固定した第三ユニットを備えることを特徴とする前記請求項１に記載の日除け。
【請求項６】
前記横枠又は縦枠の両端を前記一対の縦枠又は横枠に固定した第三ユニットを備えることを特徴とする前記請求項５に記載の日除け。
【発明の詳細な説明】
【技術分野】
【０００１】
本発明は、日除けに関するものであって、特に、通風性と遮光性を併せ持つ同一構造の日除けピースを複数連結してなる日除けに関する。
【背景技術】
【０００２】
通風性と遮光性を併せ持ち日除け自体の加熱を緩和する同一の日除けピースを、複数連結してなる日除けは、所望の面積に応じて連結する日除けピースの個数や並びを適宜調整できる点で有利であるが、なかには、平板状を組み合わせて成る三次元構造の基本要素（基本形態）を複数組み合わせ、通風性と遮光性の双方が得られる自己相似状の形態（以下、自己相似状の形態にデフォルメ又は補強を施した構造を含めてフラクタル的構造と記す。）に形作られた日除けピースを用いるものも紹介されている（例えば、下記特許文献参照。）。
【先行技術文献】
【特許文献】
【０００３】
【特許文献１】特開２００８−１９６２５４号公報
【特許文献２】特開２０１１−２１４６０号公報
【特許文献３】特開２０１１−３２８０８号公報
【特許文献４】特開２０１１−２１９９３５号公報
【発明の概要】
【発明が解決しようとする課題】
【０００４】
しかしながら、現場において一つ一つの日除けピースを連結する作業は、時間や手間を要し、高所における作業に要する設備や人員も嵩むこととなる。
加えて、同日除けピースのみで面を構成する構造は、一つの日除けピースの破損や欠落が、日除け全体の保形や物理的強度に大きく影響する事ともなっていた。
【０００５】
本発明は、上記実情に鑑みてなされたものであって、通風性と遮光性を併せ持つフラクタル的構造の日除けピースを複数連結してなるブロックからなる日除けであって、現場における作業を軽減すると共に、一つの日除けピースの破損や欠落による日除け全体の保形や物理的強度への影響を軽減できる日除けの提供を目的とする。
【課題を解決するための手段】
【０００６】
上記課題を解決する為になされた本発明による日除けは、向きを一致させた複数の日除けユニットを縦、横、又は上下に連結してなる日除けである。
当該日除けユニットは、向きを一致させた複数の日除けピースを縦、横、又は上下に連結してなるブロックの前後又は左右の最端部を横枠又は縦枠で固定してなる。
【０００７】
前記日除けピースは、通風性と遮光性を併せ持つフラクタル的構造を有し、各々の一辺を水平な稜線として共有する一対の三角形状板を一体化した屈曲四辺板、又は向きを一致させた複数の屈曲四辺板を頂点繋ぎで連結してなる自己相似状の集合物であり、
且つ前記稜線の中点から各三角形状板の固有頂点を結ぶ線の中点までを結ぶ軸線の傾斜角が前記稜線に対して一年のうちで最も暑い時期の南中高度に略等しく設定する。
尚、ここで前記向きとは、前記屈曲四辺板や日除けピースの形態に基づき、その形状や傾斜等によって決まる部材の向きを言う。
【０００８】
前記日除けユニットとして、向きを一致させた複数の前記日除けピースを縦方向へ一列直線的に連結して線状ブロック（以下、縦チェーンと記す。）を形成し、各日除けピースの前後又は左右の頂点を、縦枠に固定した第一ユニット、向きを一致させた複数の前記日除けピースを横方向へ一列直線的に連結して線状ブロック（以下、横チェーンと記す。）を形成し、各日除けピースの前後又は左右の頂点を、横枠に固定した第二ユニット、更に、当該一対の横枠の両端をそれぞれ補助縦枠で固定した第二ユニット、又は、下層ブロックの前後頂点と上層ブロックの左右頂点を連結してなり、前記下層ブロック及び上層ブロックは、向きを一致させた複数の日除けピースを縦方向又は横方向へ連結して縦チェーン又は横チェーンを形成すると共に、複数の前記縦チェーン又は横チェーンをその向きを一致させて左右又は前後に複数連結してなり、前記下層ブロックにおける縦チェーン又は横チェーンを構成する各日除けピースの前後又は左右の頂点を縦枠又は横枠に固定すると共に、前記上層ブロックにおける縦チェーン又は横チェーンを構成する各日除けピースの前後又は左右の頂点を縦枠又は横枠に固定した第三ユニットの、何れか一つ又は複数を用いた日除けとすることもできる。
【０００９】
更に、前記横枠又は縦枠の両端部を縦枠又は横枠（補助枠）に固定する構造を採っても良い。
【発明の効果】
【００１０】
本発明による日除けは、複数の日除けピースがその外形の頂点繋ぎで相連結され、それらが前記日除けピースの傾斜方向へ略隙間なく投影し、且つ専ら横向きの間隙を形成することにより、当該日除けピースの通風性と遮光性とが相俟って、日除け自体の加熱を緩和しつつ有効な日除けが構築される。
また、複数の日除けピースを横枠又は縦枠で固定してなる日除けユニットを縦、横、又は上下に複数連結してなる日除けの構造的特徴によって、ユニット間に隙間が発生することなく所望の日除け効果が得られることはもとより、現場における組み立て作業を各段に軽減すると共に、一つの日除けピースの破損や欠落による日除け全体の保形や物理的強度への影響を軽減することができる。
【００１１】
また、各日除けピースが、各々の一辺を水平な稜線として共有する一対の三角形状板を一体化した屈曲四辺板、又は向きを一致させた複数の屈曲四辺板を頂点繋ぎで連結してなる自己相似状の集合物であり、且つ前記稜線の中点から各三角形状板の固有頂点を結ぶ線の中点までを結ぶ軸線の傾斜角が前記稜線に対して一年のうちで最も暑い時期の南中高度に略等しく設定してあることによって、軸線の傾斜を真南に合わせれば、温暖な時期の日差しの強さに応じて適正な日除け効果を得ることができる。
尚、各三角形状板の固有頂点とは、一対の三角形状板における共有する稜線の両端点を除く一端点を指す。
【図面の簡単な説明】
【００１２】
【図１】本発明による日除けを構成する日除けユニットの例を示す、左：平面図、右：側面図である。
【図２】本発明による日除けを構成する日除けの構築作業の一例を示す工程図である。
【図３】本発明による日除けにおける日除けピース又は日除けユニット（第三ユニット）の連結状態の一例を示す説明図である。
【図４】本発明による日除けにおける日除けピース又は日除けユニット（第一ユニット）の連結状態の例を示す説明図である。
【図５】本発明による日除けにおける日除けピース又は日除けユニット（第二ユニット）の連結状態の例を示す説明図である。
【図６】本発明による日除けにおける日除けピース又は日除けユニット（第三ユニット）の連結状態の一例を示す説明図である。
【図７】本発明による日除けにおける日除けピース又は日除けユニット（第二ユニット）の連結状態の一例を示す説明図である。
【図８】本発明による日除けにおける日除けピース又は日除けユニット（第一ユニット）の連結状態の一例を示す説明図である。
【図９】本発明による日除けにおける日除けピース及びその基本要素（屈曲四面板）の構造の一例を示す説明図である。
【図１０】本発明による日除けを構成する日除けユニットの一例（第一ユニット）を示す斜視図である。
【図１１】本発明による日除けを構成する日除けユニットの一例（第二ユニット）を示す斜視図である。
【図１２】本発明による日除けを構成する日除けユニットの一例（第三ユニット：第一ユニット×３）を示す斜視図である。
【図１３】本発明による日除けを構成する日除けユニットの一例（第三ユニット：第一ユニット×３）を示す斜視図である。
【図１４】本発明による日除けを構成する日除けユニットの一例（第三ユニット：第二ユニット×２＋横チェーン）を示す斜視図である。
【図１５】本発明による日除けの一例を示す平面図である。
【図１６】図１５の日除けに用いた日除けユニット（第一ユニット）の平面図である。
【図１７】本発明による日除けの一例を示す正面図である。
【図１８】本発明による日除けの一例を示す側面図である。
【発明を実施するための形態】
【００１３】
以下、本発明による日除けの実施の形態を図面に基づき説明する。
図２（Ｅ）に示す日除けは、本発明による日除けの一例であって、日除けユニット１を、縦横に配置固定してなる日除けである。
【００１４】
当該日除けユニット１は、複数の日除けピース２を縦、横、又は上下に連結し、それらを横枠４又は縦枠３で適宜固定したものである。
【００１５】
＜日除けピース＞
前記日除けピース２は、通風性と遮光性を併せ持つフラクタル的構造を有する。
当該フラクタル的構造の基本要素は、各々の一辺を水平な稜線ａ１として共有する一対の三角形状板ａ２を一体化した屈曲四辺板Ａである。
前記稜線ａ１の中点ｐ１と各三角形状板ａ２の固有頂点（東西頂点）ｏ１，ｏ１’を結ぶ線分の中点ｐ２を通る軸線Ｌの傾斜角θは、前記稜線ａ１に対して一年のうちで最も暑い時期（日本では夏至あたり）の南中高度に設定されている（図９（Ｂ）参照）。
【００１６】
日本における夏至の南中高度は以下の式によって得られる。
夏至の南中高度＝90度−緯度＋23.4度
即ち、日本においては、最南端を北緯20.3度、最北端を北緯45.3度とすると、軸線Ｌの傾斜角度θは、約93度から約68度の範囲となり、東京の緯度を約３５度とすれば、軸線Ｌの傾斜角度θは、約68.4度ということになる。
以下、前記屈曲四辺板ａ３及びそのフラクタル的構造において、軸線Ｌが傾いた方向を南、その反対方向を北とし、前記屈曲四辺板Ａにおいて、南方向の頂点を南頂点ｏ３、北方向の頂点を北頂点ｏ２、西方向の頂点を西頂点ｏ１’、東方向の頂点を東頂点ｏ１と呼ぶ。
【００１７】
当該例においては、南北方向へ向きを一致させた二つの屈曲四辺板Ａ，Ａを各々の南頂点と北頂点を介して連結した縦ペアｂ２が形成され、東西方向へ向きを一致させた二つの屈曲四辺板Ａ，Ａを各々の東頂点と西頂点を連結した横ペアｂ１が形成され、当該横ペアｂ１を構成する二つの屈曲四辺板Ａ，Ａの北頂点対と南頂点対の上に、向きを一致させた前記縦ペアｂ２を構成する二つの屈曲四辺板Ａ，Ａの各々西頂点と東頂点が載った状態に連結一体化されることによって、前記基本要素に対して前記傾斜角θを維持した自己相似状の第一のフラクタル的構造Ｂが形成されている。
【００１８】
当該第一次フラクタル的構造Ｂが、第一次フラクタル的構造Ｂにおける前記屈曲四辺板Ａと同様に連結されて、前記基本要素に対して前記傾斜角θを維持した自己相似状の第二次フラクタル的構造が構成され、更に、第二次フラクタル的構造Ｃが、第二次フラクタル的構造Ｃにおける第一次フラクタル的構造Ｂと同様に連結されて、前記基本要素に対して前記傾斜角θを維持した自己相似状の第三次フラクタル的構造（シェルピンスキーのギャスケットを二つの上面として備える立体を、前記夏至の南中高度に合わせて傾斜させた構造）Ｄが構成され、当該第三次フラクタル的構造Ｄの東西南北頂点Ｏ１，Ｏ１’，Ｏ３，Ｏ２に各々連結片１１を一体的に付設すると共に、最下位の屈曲四辺板Ａの下面等に補強リブ５を一体的に付設したものが日除けピース２となる（図９（Ａ）参照）。
【００１９】
＜日除けユニット＞
以下、日除けユニット１の具体的な例を示す。
図１（Ａ）に示す例は、当該例による日除けを構築する為の第一ユニットＸであり、向きを一致させた八つの日除けピース２を南北方向へ直線的に連結して縦チェーンを形成し、各日除けピース２の東西頂点Ｏ１，Ｏ１’を、東西一対の縦枠３，３に等間隔で固定したものである（図４及び図８参照）。各日除けピース２の南北頂点Ｏ３，Ｏ２を、一本の縦枠３に固定した構成としても良い（図１０及び図１６参照）。
【００２０】
図１（Ｂ）に示す例は、当該例による日除けを構築する為の第二ユニットＹであり、向きを一致させた四つの日除けピース２を東西方向へ直線的に連結して横チェーンを形成し、各日除けピース２の南北頂点Ｏ３，Ｏ２を、南北一対の横枠４，４に等間隔で固定し、更に、当該一対の横枠４，４の両端をそれぞれ補助縦枠６で固定したものである（図７参照）。各日除けピース２の東西頂点Ｏ１，Ｏ１’を、一本の横枠４に固定した構成としても良い（図１１参照）し、例えば、図１４に示す様に、当該第一ユニットを縦（南北）に二つ連ねても良い。
【００２１】
尚、上記二例においては、前記縦枠３及び横枠４は、軽量強度な方形断面の中空パイプを用い、前記補助縦枠６には、後記フレーム７の桟８に安定して掛け得るＬ型アングルを用いる。
【００２２】
図１（Ｃ）に示す例は、当該例による日除けを構築する為の第三ユニットＺの一例であり、平面状の下層ブロックｚ１の上に、平面状の上層ブロックｚ２が載置される態様で、各日除けピース２を頂点繋ぎで連結したものである。
【００２３】
前記下層ブロックｚ１は、東西に向きを一致させた四つの日除けピース２を各々の東頂点Ｏ１と西頂点Ｏ１’を合わせて連結し、且つ横枠４に固定して横チェーンを形成すると共に、当該横チェーンをその向きを一致させて南北に七つ、各々隣接する日除けピースの北頂点Ｏ２と南頂点Ｏ３を合わせて連結してなる（例えば図３（Ｂ）参照）。
前記上層ブロックｚ２は、東西に向きを一致させた三つの日除けピース２を各々隣接する日除けピースの東頂点Ｏ１と西頂点Ｏ１’を合わせて連結して横チェーンを形成し、当該横チェーンをその向きを一致させて南北に八つの日除けピース２を各々隣接する日除けピースの北頂点Ｏ２と南頂点Ｏ３を合わせて連結してなる（図１（Ｃ）参照）。
【００２４】
前記下層ブロックｚ１の東西両端の日除けピース２の稜線ａ１に、向きを一致させた前記上層ブロックｚ２の東西両端を合わせて載置し、前記下層ブロックｚ１を構成する各日除けピース２の南北頂点Ｏ３，Ｏ２の上に、前記上層ブロックｚ２を構成する各日除けピース２の東西頂点Ｏ１，Ｏ１’を合わせてボルト・ナットで固定し二層ブロックを形成する（図６参照）。
【００２５】
図１（Ｃ）に示す例は、特に、当該二層ブロックの前記下層ブロックｚ１における左右両端の各日除けピース２の東西頂点Ｏ１，Ｏ１’を、東西一対の縦枠３，３に等間隔で固定すると共に、前記下層ブロックｚ１における各横チェーンを構成する各日除けピース２の東西頂点Ｏ１，Ｏ１’を、各々横枠４に固定し、各横枠４の両端を前記一対の縦枠３，３に固定したものである（図３参照）。
【００２６】
尚、前記下層ブロックｚ１に固定する横枠４は、当該第三ユニットＺの強度維持や連結上の便宜など、状況に応じて省いても良い。当該例においては、前記縦枠３及び横枠４は、後記フレーム７の桟８に安定して掛け得るＬ型アングルを用いる（図３（Ａ）参照）。
【００２７】
前記下層ブロックの前後頂点と上層ブロックの左右頂点を連結してなる前記第三ユニットＺの縦枠３又は横枠４の固定態様は、例えば、前記第一ユニットを、縦枠３及び横枠４を適宜介在させて複数連結することにより構成されるものであってもよい。
【００２８】
例えば、図１２に示す前記第三ユニットＺの例は、前記下層ブロックｚ１における縦チェーンを構成する各日除けピース２の東西頂点Ｏ１，Ｏ１’を縦枠３に固定すると共に、前記下層ブロックｚ１における縦チェーンを構成する各日除けピース２の東西頂点Ｏ１，Ｏ１’を縦枠３に固定することによって、図１（Ａ）に記載の第一ユニットＸを、縦枠３を介して複数組み合わせた構成である。
【００２９】
また、例えば図１３に示す前記第三ユニットＺの例は、前記下層ブロックｚ１における縦チェーンを構成する各日除けピース２の南北頂点Ｏ３，Ｏ２を縦枠３に固定すると共に、前記下層ブロックｚ１における縦チェーンを構成する各日除けピース２の南北頂点Ｏ３，Ｏ２を縦枠３に固定することによって、図１０又は図１６に記載の第一ユニットＸを、縦枠３を介して複数組み合わせた構成である。
【００３０】
そして、例えば図１４に示す様に、図１１に示す第一ユニットＸを縦に連ねて上層ブロックｚ２を構成し、その隙間を下から覆う様に、横チェーンを連結した構成を持つ第三ユニットＺとしてもよい。その際も、前記上層ブロックｚ２を構成する各日除けピース２の東西頂点Ｏ１，Ｏ１’を前記横チェーンを構成する各日除けピース２の南北頂点Ｏ３，Ｏ２と上層ブロックｚ２を構成する各日除けピース２の南北頂点Ｏ３，Ｏ２を合わせ、当該東西頂点Ｏ１，Ｏ１’と南北頂点Ｏ３，Ｏ２との間に横枠４を介在しボルト・ナットで固定する。
【００３１】
＜日除けの構築（据付け型）＞
図２（Ｅ）に示す日除けは、先ず、設定位置における柱９の位置を決めて基礎穴を掘りアンカーを埋設して柱を垂設する作業を行う。
【００３２】
当該柱９の上端に、平行且つ水平な二本の梁１０を同じ高さに固定し、当該梁１０の上に、取り付け金具を介して桟８を配置する。以上の作業を以って、フレーム構築工程が終了する（図２（Ａ）参照）。
【００３３】
次に、前記フレーム７の桟８に日除けユニット１を配置固定する作業を行う。
先ず、隣接する桟８の間に当該第三ユニットＺの東西縦枠３，３を掛け止め、ボルト・ナットで固定する（図２（Ｂ）参照）。
【００３４】
続いて、前記第一ユニットＸを、東西方向に隣接する第三ユニットＺの間隙に、各々連結金具１２を介して配置しボルト・ナットで固定する（図２（Ｃ）、図４、及び図８参照）。
最後に、前記第二ユニットＹを日除けピース２の上下が反転する様に裏返し日除けピース２の向きを一致させて、南北方向に隣接する第三ユニットＺの間隙に、隣接する桟８へ当該第二ユニットＹの東西補助縦枠６，６を引っ掛ける形で位置決めし、ボルト・ナットで固定する（図２（Ｄ）、図５、及び図７参照）。
【００３５】
尚、前記第二ユニットＹを形成する際、予め、前記日除けピース２を上下逆さの形態となる倒立ピースを成形して、同様の構成となる様に連結しても良い。
また、向きを一致させた前記第二ユニットＹを、上下反転させることなく南北方向に隣接する前記第三ユニットＺの端部と頂点繋ぎで連結してもよく、その際、横枠を介して連結してもよい。その際には、当該第二ユニットＹの強度維持や連結上の便宜など、状況に応じて当該一対の横枠４，４の両端から補助縦枠６を外してもよい。
【００３６】
以上の如く、前記梁１０の上に、取り付け金具を介して配置した桟８をボルト・ナットで固定し、梁１０や桟８の開口部を封じるキャップを装着する等の作業を経て、当該例の日除けを葺設する作業が終了する（図２（Ｅ）参照）。
【００３７】
日除けピース２の形態の基準となる軸線Ｌの傾斜角度に鑑み、軸線Ｌ方向から差す太陽光を遮断するには、東西南北頂点Ｏ１，Ｏ１’，Ｏ３，Ｏ２を各々その方角に向けることが必要となる。そうすることによって、当該日除けを構成する全ての日除けピース２は、軸線Ｌ方向から差す太陽光を遮断して当該軸方向へ投影し、水平方向に生じる間隙を通して大気を流通させ得ることとなる。
【００３８】
尚、頂点繋ぎとは、屈曲四辺板Ａや日除けピース２等の東西頂点又は南北頂点の相対する頂点同士を、直接、又は連結具を介して繋ぎ止めることを言う。
前記日除けピース２は、相対する東西頂点Ｏ１，Ｏ１’及び南北頂点Ｏ３，Ｏ２の高さに、各々の連結片１１の厚み分の段差を設け、日除けピース２同士の向きが異なった状態での連結を防止できる構造を有する（図３（Ｂ）及び図４（Ｂ）参照）。
【００３９】
＜日除けの構築（仮設型）＞
図１５、図１７、及び図１８（以下、図１５等と記す。）は、本発明による日除けを仮設型として実現した一例を示したものである。
当該例は、折畳型の骨組み１３を持ち、天井材１４として上下二層構造を持った前記第三ユニットＺを設置したものである。
【００４０】
前記骨組み１３は、梁１５と、脚部１６とからなる。
前記梁１５は、同じものを二本平行に配置され、その両端で脚部１６の上端部を支持すると共に、その上面で天井材１４の枠（当該例では縦枠３）を支持・固定する
【００４１】
前記脚部１６は、四本の支持脚１７を各々が長方形の頂点となる様に配置し、隣接する支持脚１７の上部を各々パンタグラフ機構１８で連結することによって、四本の支持脚１７の間隔が相互の平衡状態を維持しつつ伸縮できるように一体化したものである。
【００４２】
尚、パンタグラフ機構１８とは、簡単なリンク機構で特定部分の動きを一次元（直線的な動き）に拘束するものである。当該例では、対となるリンク１９の交点が、隣接する支持脚１７，１７の間隔の伸縮に伴って、その伸縮方向へ直線的に動くこととなる。図１５等に示す例では、二組の平行リンクの各々を構成するリンク１９，１９の中央で交差させ支持したものである。
【００４３】
図１５等に示す例では、前記梁１５は、その両端に下向きの支持ベース（図示省略）を備える。
前記脚部１６は、二段階に伸縮・固定可能な四本の支持脚１７を備え、各支持脚１７の上端面に前記支持ベースが嵌る開口部（図示省略）を備えると共に、前記パンタグラフ機構１８の両端部を揺動自在に枢支する上下揺動ベース２０，２１を備える。尚、前記支持脚１７の伸縮・固定機構としては、上段部１７ａの内空部に下段部１７ｂが収まる構造を採り、且つその伸縮調整手段としてラチェット機構やロックピンを採用する等の構成が挙げられる。
【００４４】
前記上下揺動ベース２０，２１は、各々、各支持脚１７の上段部１７ａの周囲を覆うガイド部を備えると共に、相直交する二方向に隣接する支持脚１７，１７に向けて突出する支承部２０ａ，２０ｂ，２１ａ，２１ｂを備え、各支承部２０ａ，２０ｂ，２１ａ，２１ｂで、隣接する双方の支持脚１７，１７と連結するためのパンタグラフ機構１８を構成する平行リンクを構成するリンク１９，１９の最寄の上下最端部を各々支持する。
【００４５】
前記各支持脚１７において、上揺動ベース２０は、各々の上端部に位置固定され、下揺動ベース２１は、各支持脚１７の上段部１７ａを自由に摺動できるガイド孔を備える。この様に、前記下揺動ベース２１が上下に摺動することによって、前記パンタグラフ機構１８が働き、隣接する支持脚１７，１７の間隔が伸縮する。
【００４６】
前記天井材１４は、平面状の下層ブロックｚ１の上に、平面状の上層ブロックｚ２が、縦枠３を介して載置される態様で、各日除けピース２を頂点繋ぎで連結したものである。
前記下層ブロックｚ１は、図１６（Ａ）に示す第一ユニットＸを、各々の東頂点Ｏ１と西頂点Ｏ１’を連結することによって４つ横に連ねて構成し、前記上層ブロックｚ２は、図１６（Ｂ）に示す第一ユニットＸを、各々の東頂点Ｏ１と西頂点Ｏ１’を連結することによって３つ横に連ねて構成する。
【００４７】
図１５等に示す例において、前記天井材１４と一対の梁１５，１５とは、図１６（Ａ）に示す第一ユニットＸの縦枠３の両端部を、前記一対の梁１５，１５にネジ止めすることによって一体化され、更に、当該一対の梁１５，１５と脚部１６とは、前記パンタグラフ機構１８を伸展し開脚状態となった四つの支持脚１７の開口部に、各梁１５，１５の支持ベースを嵌め入れ、且つその状態を何らかの手段でロックすることによって一体化される。
【００４８】
上記構成によっても、前記日除け（据付け型）と同様に、当該日除けを構成する全ての日除けピース２は、軸線Ｌ方向から差す太陽光を遮断して当該軸方向へ投影し、水平方向に生じる間隙を通して大気を流通させ得ることは言うに及ばず、仮設型としての簡易な構成が与えられたことによって、組み立て及び移設が容易となる。
【符号の説明】
【００４９】
１  日除けユニット，２  日除けピース，３  縦枠，４  横枠，
５  補強リブ，６  補助縦枠，
７  フレーム，８  桟、９  柱，１０  梁，
１１  連結片，１２  連結金具，
１３  骨組み，１４天井材，
１５  梁，１６  脚部，１７  支持脚，１７ａ  上段部，１７ｂ  下段部，
１８  パンタグラフ機構，１９  リンク，
２０  上揺動ベース，
２０ａ  支承部（上揺動ベース（横）），２０ｂ  支承部（上揺動ベース（縦）） 
２１  下揺動ベース，
２１ａ  支承部（下揺動ベース（横）），２１ｂ  支承部（下揺動ベース（縦）） 
Ｘ  第一ユニット，
Ｙ  第二ユニット，
Ｚ  第三ユニット，ｚ１  下層ブロック，ｚ２  上層ブロック，
Ａ  屈曲四辺板，ａ１  稜線，ａ２  三角形状板，ａ３  屈曲四辺板，
Ｂ  第一次フラクタル的構造，ｂ１  横ペア，ｂ２  縦ペア，
Ｃ  第二次フラクタル的構造，
Ｄ  第三次フラクタル的構造，  
ｏ１東頂点(屈曲四辺板) ，ｏ１’  西頂点(屈曲四辺板)，
ｏ２  北頂点(屈曲四辺板)，ｏ３  南頂点(屈曲四辺板)，
ｐ１  稜線の中点，ｐ２  東西頂点を結ぶ線分の中点，
Ｏ１東頂点(日除けピース) ，Ｏ１’  西頂点(日除けピース)，
Ｏ３  南頂点(日除けピース)，Ｏ２  北頂点(日除けピース)，
Ｌ  軸線，
【図１】
2014034857.tif 000003
【図２】
2014034857.tif 000004
【図３】
2014034857.tif 000005
【図４】
2014034857.tif 000006
【図５】
2014034857.tif 000007
【図６】
2014034857.tif 000008
【図７】
2014034857.tif 000009
【図８】
2014034857.tif 000010
【図９】
2014034857.tif 000011
【図１０】
2014034857.tif 000012
【図１１】
2014034857.tif 000013
【図１２】
2014034857.tif 000014
【図１３】
2014034857.tif 000015
【図１４】
2014034857.tif 000016
【図１５】
2014034857.tif 000017
【図１６】
2014034857.tif 000018
【図１７】
2014034857.tif 000019
【図１８】
2014034857.tif 000020